(57)【要約】  【課題】椅子の背凭れを後傾させた際等、着座姿勢を変更した際であっても、着座者の所望の姿勢でランバーサポートにより着座者の腰部を支持させる  【解決手段】背板６１の前面にランバーサポート７を着脱可能に装着することができるようにした椅子１００において、前記ランバーサポート７に、着座者の腰部をサポートするためのランバーサポート本体７１と、前記背板６１の前面に着脱可能に装着され前記ランバーサポート本体７１をその向きが背板６１の前面の向きに同調しつつ上下移動し得るように案内する上下案内部材７２とを備え、前記上下案内部材７２を、背板６１の前面が最も前方に突出している迫出部分６１ｘを含みその上下に亘って装着する構成を採用する。  【選択図】図６
2010063820.tif 000002
【特許請求の範囲】
【請求項１】
背板の前面にランバーサポートを着脱可能に装着することができるようにした椅子であって、前記ランバーサポートが、着座者の腰部をサポートするためのランバーサポート本体と、前記背板の前面に着脱可能に装着され前記ランバーサポート本体をその向きが背板の前面の向きに同調しつつ上下移動し得るように案内する上下案内部材とを備えたものであり、前記上下案内部材が、背板の前面が最も前方に突出している迫出部分を含みその上下に亘って装着されることを特徴とする椅子。
【請求項２】
前記背板が少なくとも前記迫出部分付近に複数の孔を有したものであり、前記上下案内部材が、前記孔のいずれかを選択的に利用して前記背板に装着されるものである請求項１記載の椅子。
【請求項３】
前記上下案内部材が、前記背板の前面に添接し得る程度の可撓性を備えたものである請求項２記載の椅子。
【請求項４】
前記背板が、メッシュ領域と、孔を有しないシェル領域とを備えたものであり、前記孔が前記メッシュ領域を形成するためのものである請求項２又は３記載の椅子。
【請求項５】
前記シェル領域が水平なバンド状をなすものであり、前記迫出部分にベルト状をなすシェル領域を配するとともに、シェル領域の上下にそれぞれメッシュ領域を配している請求項４記載の椅子。
【発明の詳細な説明】
【技術分野】
【０００１】
本発明は、着座者の腰部をサポートすべくランバーサポートを設けた椅子に関する。
【背景技術】
【０００２】
従来、着座者の腰部をサポートすべく構成された椅子が種々知られている。このような椅子の一例として、例えば、背凭れを弾性材製の芯材を備えるものとし、この背凭れの下端部を昇降させることにより前記芯材が弾性変形し、着座者の腰部をサポートするランバーサポート部として機能する部分が前後及び上下方向に向かって突没するように構成しているものが考えられている（例えば、特許文献１を参照）。
【特許文献１】特開２００３−２８４６１６公報
【発明の開示】
【発明が解決しようとする課題】
【０００３】
ところで、特許文献１記載の構成の椅子においては、確かにランバーサポート部として機能する部分が前後及び上下方向に向かって突没させうるように構成しているものの、このランバーサポート部は上下方向位置にかかわらず正面に向かって突出している。
【０００４】
一方、着座姿勢等によっては、ランバーサポート部が正面に向かって突出させた状態では必ずしも着座者の腰部を好適にサポートできない場合があり、ランバーサポート部の突出方向を変更可能にする要望が存在する。このような要望は、特に背凭れが後傾可能である椅子において顕著である。しかし、上述したように、前記特許文献１に記載の構成では、このような要望に対応することが困難である。
【０００５】
本発明はこのような課題を解決すること、背凭れを後傾させた際等、着座姿勢を変更した際であっても、所望の姿勢でランバーサポートにより着座者の腰部を支持できるようにすることを目的とする。
【課題を解決するための手段】
【０００６】
すなわち本発明に係る椅子は、背板の前面にランバーサポートを着脱可能に装着することができるようにした椅子であって、前記ランバーサポートが、着座者の腰部をサポートするためのランバーサポート本体と、前記背板の前面に着脱可能に装着され前記ランバーサポート本体をその向きが背板の前面の向きに同調しつつ上下移動し得るように案内する上下案内部材とを備えたものであり、前記上下案内部材が、背板の前面が最も前方に突出している迫出部分を含みその上下に亘って装着されることを特徴とする。
【０００７】
このようなものであれば、ランバーサポート本体を上下移動させることにより、該ランバーサポート本体に、正面向き姿勢だけでなく、上向き姿勢及び下向き姿勢のいずれをも採らせることが可能になる。
【０００８】
このような椅子において、着座者の腰部をより好適にサポートさせるべく、ランバーサポートの取付位置を変更可能にするためには、前記背板が少なくとも前記迫出部分付近に複数の孔を有したものであり、前記上下案内部材が、前記孔のいずれかを選択的に利用して前記背板に装着されるものが望ましい。
【０００９】
特に、前記上下案内部材が、前記背板の前面に添接し得る程度の可撓性を備えたものであれば、このような上下案内部材の取付位置に関わらず該上下案内部材を前記背板の前面に添接させることができる。
【００１０】
このような上下案内部材の取付態様を好適に実現可能な背板の構成の一例として、前記背板が、メッシュ領域と、孔を有しないシェル領域とを備えたものであり、前記孔が前記メッシュ領域を形成するためのものが挙げられる。
【００１１】
特に、前記シェル領域が水平なベルト状をなすものであり、前記迫出部分にバンド状をなすシェル領域を配するとともに、シェル領域の上下にそれぞれメッシュ領域を配しているものであれば、前記迫出部分にシェル領域を配しているので、着座者の荷重を前記シェル領域で受けることとなり、着座者にランバーサポートによる保持感を与えることができる。
【発明の効果】
【００１２】
本発明に係る椅子の構成によれば、背板の前面が最も前方に突出している迫出部分を含みその上下に亘って装着される上下案内部材に案内させつつランバーサポート本体を上下移動させることにより、該ランバーサポート本体に上向き姿勢、正面向き姿勢及び下向き姿勢のいずれをも採らせることができる。従って、背凭れを後傾させた際等、着座姿勢を変更した際であっても、着座者の所望の姿勢でランバーサポートにより着座者の腰部を支持させることができる。
【発明を実施するための最良の形態】
【００１３】
以下、本発明をシンクロチルト式の事務用回転椅子１００に適用した場合の一実施形態につき、図面を参照して説明する。
【００１４】
この椅子１００は、図１〜図３に示すように、脚１と、この脚１の上部に支持され水平旋回可能な支持基部２と、この支持基部２の上に配された座受３と、この座受３に保持された座４と、前記支持基部２に後傾動作可能に設けられた背支持体５と、この背支持体５に取り付けられた背凭れ６とを具備してなる。
【００１５】
前記脚１は、脚ベース１１と、脚ベース１１の中心部に設けられた脚支柱１２とを備えてなる。前記脚ベース１１は、中心部に設けたハブ１１ａから脚羽根１１ｂを放射状に突出させて設けたもので、前記脚羽根１１ｂ先端にキャスター１１ｃをそれぞれ設けている。前記脚支柱１２は、ガススプリングを主体に構成されたもので、上下方向に弾性的に伸縮し、所望位置でロックすることができるようにした通常のものである。
【００１６】
前記支持基部２は、前記脚支柱１２の上端部に取り付けられたハウジング２１と、このハウジング２１に剛結され前記背支持体５を後傾動作可能に支持する主軸２２と、前記ハウジング２１内に設けられ前記背支持体５の後傾動作に対して反発力を発生させる図示しない傾動反力発生機構とを具備してなる。前記傾動反力発生機構は、コイルスプリングやガススプリング等を用いた通常のものであるため、説明を省略する。
【００１７】
前記座受３は、前記座４を保持するシェル状のもので、その前端側が前記支持基部２に前後動可能に取り付けられているとともに、その後端側が前記背支持体５の基端部に支持されている。
【００１８】
前記背支持体５は、前記支持基部２の主軸２２に後傾動作可能に支持された背支桿５１と、この背支桿５１の上端部に取り付けられた弾性横桿５２とを具備してなる。前記背支桿５１は、基端部を前記支持基部２に取り付けた下部背フレーム５１ｂと、この下部背フレーム５１ｂの先端に結合した上部背フレーム５１ａとを備えている。前記下部背フレーム５１ｂは、金属製のもので、その外側がカバー５３により覆われている。そのカバー５３の外面は、前記上部背フレーム５１ａの外面に連続するように位置づけられている。前記上部背フレーム５１ａは、合成樹脂により一体成形されたもので、その上部を二股に分岐させて分岐桿部５１ａ２を形成している。この分岐桿部５１ａ２は、略直線状に起立している。前記弾性横桿５２は、中間部二箇所を前記背支桿５１の上端部、さらに具体的には各分岐桿部５１ａ２の上端部に枢軸たる図示しない取付軸を介して支持させた板ばね状のもので、その両端部で前記背凭れ６を支えている。
【００１９】
前記背凭れ６は、背板６１を主体に構成されたものである。前記背板６１は、背板本体６１ａとこの背板本体６１ａの左右両側部に設けた側端取付部６１ｃと、前記背板本体６１ａの下端部に設けた下端取付部６１ｂとを具備してなるもので、前記側端取付部６１ｃを前記弾性横桿５２の両端部に接続するとともに、前記下端取付部６１ｂを前記背支桿５１の下部背フレーム５１ｂに取り付けている。前記背板本体６１ａは、合成樹脂により作られたもので、孔６１ｄを有しない周縁枠部６１ａ１と、この周縁枠部６１ａ１に囲まれた中間面部６１ａ２とを具備してなる。前記中間面部６１ａ２は、複数の孔６１ｄを設けた樹脂メッシュ領域Ｍと、孔６１ｄを有しない樹脂シェル領域Ｓとを備えたもので、その樹脂メッシュ領域Ｍと樹脂シェル領域Ｓとを交互に配置している。具体的には、前記中間面部６１ａ２の樹脂シェル領域Ｓは、水平なベルト状のもので前記周縁枠部６１ａ１の対向部位を連結するように配されている。ベルト状をなす前記樹脂シェル領域Ｓは、上下方向に間隔を開けて複数本平行に配されており、これら樹脂シェル領域Ｓ間及び樹脂シェル領域Ｓと周縁枠部６１ａ１との間に前記樹脂メッシュ領域Ｍがそれぞれ形成されている。前記樹脂メッシュ領域Ｍは、前記樹脂シェル領域Ｓよりも薄肉に形成されており、多数の孔６１ｄを有している。前記樹脂シェル領域Ｓの前面と前記樹脂メッシュ領域Ｍの前面とは面一に形成されている。また、前記樹脂メッシュ領域Ｍの背面は、前記樹脂シェル領域Ｓの背面よりも凹んで設けられている。一方、前記周縁枠部６１ａ１の前面と前記中間面部６１ａ２との境界には、段部６１ａ３が形成されている。換言すれば、前記段部６１ａ３を境にして、前記中間面部６１ａ２が前記周縁枠部６１ａ１よりも前方にせり出すような形態をなしている。ここで、本実施形態では、背板６１の前面が最も前方に突出している部位である迫出部分６１ｘに、バンド状をなす樹脂シェル領域Ｓを配している。また、本実施形態では、この背板６１の前方に外装材６２を取り付け可能にしている。この外装材６２は、背凭れ６の前面を形成する張地及びこの張地と背板との間に配されるクッションを有する外装材本体６２ａと、この外装材６２を背板６１の係止縁部すなわち上縁部に係わり合わせるための上縁取付部６２ｂと、この外装材を背板の下縁部に係わり合わせるための下縁取付部６２ｃとを具備する。なお、図１及び図２中では、この外装材６２は想像線で示している。また、図３には、この外装材６２を取り外した状態の斜視図を示している。
【００２０】
しかして、この椅子は、前記図３、及び図４〜図８に示すように、前記背板６１の前面にランバーサポート７を着脱可能に装着可能である。
【００２１】
このランバーサポート７は、分解斜視図である図４に示すように、また、このランバーサポート７の取付部位の横断面図である図５に示すように、着座者の腰部をサポートするためのランバーサポート本体７１と、前記背板６の前面に着脱可能に装着され前記ランバーサポート本体７１をその向きが背板６１の前面の向きに同調しつつ上下移動し得るように案内する上下案内部材７２とを具備する。
【００２２】
具体的には、前記ランバーサポート本体７１は、インナープレート７１ａと、このインナープレート７１ａの前面に装着したサポートパッド７１ｂとを具備する。前記インナープレート７１ａには、その左右両端部に、前記背凭れ６の外装材６２の左右両側端より外側に延伸する取手７１ａ１を設けている。そして、これら左右の取手７１ａ１間の部位の前方に前記サポートパッド７１ｂを取り付けるようにしている。
【００２３】
一方、前記上下案内部材７２は、背板６１の前面が最も前方に突出している迫出部分６１ｘを含みその上下に亘って装着される左右１対の部材である。この上下案内部材７２は、背板６１の孔６１ｄのいずれかを選択的に利用して前記背板６１に装着するようにしている。さらに、前記上下案内部材７２は、前記背板６１の前面に添接し得る程度の可撓性を備えた例えば樹脂製の部材である。
【００２４】
より具体的には、この上下案内部材７２は、背板６１の前面から前方に突出する起立部７２ａと、この起立部７２ａの突出端から背板６１の幅方向中央に向かう側と反対側に延伸する抜止爪部７２ｂとを具備する。また、この上下案内部材７２の起立部７２ａの背面には雌ねじ穴７２ａ１を上下に離間させて複数箇所、具体的には２箇所に設けている。そして、この上下案内部材７２を背凭れ６の前面に沿った形状にした状態で、前記雌ねじ穴７２ａ１と背板６１の孔６１ｄとを重合させ、背板６１の後方から取付具たる雄ねじ部材７２ｃを前記雌ねじ孔７２ａ１にねじ止めすることによりこの上下案内部材７２を背板６１に取り付けるようにしている。ここで、本実施形態では、前記背板６１の背面と雄ねじ部材７２ｃの頭部との間に、前記雄ねじ部材７２ｄを挿し通すためのねじ通過孔７２ｄ１を有する台座７２ｄを配している。
【００２５】
一方、前記ランバーサポート本体７１は、その背面、より具体的には前記インナープレート７１ａの背面に、前記上下案内部材７２に係り合い左右に対をなして設けた被案内爪部７１ｃを具備する。この被案内爪部７１ｃは、ランバーサポート本体７１の背面から後方に突出する起立部７１ｃ１と、この起立部７１ｃ１の突出端からランバーサポート７１の幅方向中央に向かう側に延伸する抜止部７１ｃ２とを具備する。そして、この被案内爪部７１ｃの抜止部７１ｃ２が前記上下案内部材７２の抜止爪部７２ｂに係り合うことにより、ランバーサポート本体７１が前記上下案内部材７２を介して背板６１に上下移動可能に保持される。なお、本実施形態では、この被案内爪部７１ｃは、上下方向に離間させて複数対、具体的には２対設けている。
【００２６】
このランバーサポート７は、以下のようにして背板６１に取り付けられる。
【００２７】
まず、上下案内部材７２を、図４に示すように、背板６１の前面の前記迫出部分６１ｘを挟んで上下に跨る部位に沿わせて配置する。次いで、この上下案内部材７２の背面の全体が背板６１の前面に略又は完全に接触するように上下案内部材７２を変形させる。それから、この上下案内部材７２の雌ねじ孔７２ａ１と、背板６１の孔６１ｄのいずれかと、台座７２ｄのねじ通過孔７２ｄ１とを重合させ、雄ねじ部材７２ｃを背板６１の後方から前記雌ねじ孔７２ａ１にねじ止めすることによりこの上下案内部材７２を背板６１の前面に取り付ける。そして、この上下案内部材７２の抜止爪部７２ｂと前記ランバーサポート本体７１背面の被案内爪部７１ｃの抜止部７１ｃ２とを係わり合わせる。すなわち、前記上下案内部材７２の抜止爪部７２ｂと背板６１の前面との間に前記ランバーサポート本体７１の被案内爪部７１ｃの抜止部７１ｃ２を位置させる。
【００２８】
このランバーサポート本体７１の上下位置の変更は、前記取手７１ａ１を把持した状態でランバーサポート本体７１を上下移動させることにより行う。その際、前記ランバーサポート本体７１を左右に移動しようとすると、前記被案内爪部７１ｃの抜止部７１ｃ２が前記上下案内部材７２に衝き当たるので、このランバーサポート本体７１の左右位置への移動が規制され、ランバーサポート本体７１の移動方向が案内される。すなわち、背板６１及びランバーサポート７を概略的に示した図６において、ランバーサポート本体７１は、矢印Ｘ方向又は矢印Ｙ方向に移動可能である。
【００２９】
ここで、上述したように、前記ランバーサポート本体７１の向きは、この背板６１の前面の向きに同調して変化する。すなわち、このランバーサポート本体７１の高さ位置と背板６１の前記迫出部分６１ｘの高さ位置とが一致している場合には、前記図６に示すように、ランバーサポート７は正面を向く。その際、上述したように、前記迫出部分６１ｘには前記樹脂シェル領域Ｓを配しているので、ランバーサポート本体７１はこの樹脂シェル領域Ｓに支持される。すなわち、着座者からの荷重はこのランバーサポート本体７１を介して背板６１の樹脂シェル領域Ｓが受けるようにしている。一方、このランバーサポート本体７１が背板６１の前記迫出部分６１ｘより上方に位置する場合には、図７に示すように、ランバーサポート７は上向きである。そして、このランバーサポート本体７１が背板６１の前記迫出部分６１ｘより下方に位置する場合には、図８に示すように、ランバーサポート７は下向きである。
【００３０】
以上に述べたように、本実施形態に係る椅子１００の構成によれば、ランバーサポート７が、背板６１の前面に着脱可能に装着されランバーサポート本体７１をその向きが背板６１の前面の向きに同調しつつ上下移動し得るように案内する上下案内部材７２を備えているとともに、この上下案内部材７２を、背板６１の前面が最も前方に突出している迫出部分６１ｘを含みその上下に亘って装着しているので、ランバーサポート本体７１を上下移動させることにより、該ランバーサポート本体７１に、前記図７に示すような上向き姿勢、前記図６に示すような正面向き姿勢、及び前記図８に示すような下向き姿勢のいずれをも採らせることが可能になる。すなわち、このような椅子１００の背凭れ６を後傾させた場合等、着座姿勢を変更した場合であっても、着座者の所望の姿勢でランバーサポート７に着座者の腰部を支持させることができる。
【００３１】
また、前記背板６１が迫出部分６１ｘ付近に複数の孔６１ｄを有しているとともに、前記上下案内部材７２を、前記孔６１ｄのいずれかを選択的に利用して前記背板６１に装着するようにしているので、着座者の腰部をより好適にサポートさせるべく、ランバーサポート７の取付位置を変更可能にすることができる。
【００３２】
さらに、前記上下案内部材７２が、前記背板６１の前面に添接し得る程度の可撓性を備えているので、このような上下案内部材７２の取付位置に関わらず該上下案内部材７２を前記背板６１の前面に添接させることができる。
【００３３】
また、前記背板６１が、前記孔６１ｄを多数形成してなる樹脂メッシュ領域Ｍと、孔６１ｄを有しないシェル領域Ｓとを備えたものであるので、広く知られているこのような背板６１に大幅な設計変更を加えることなく、上下案内部材７２の取付態様を好適に実現可能である。
【００３４】
そして、前記樹脂シェル領域Ｓが水平なベルト状をなすものであり、前記迫出部分６１ｘにバンド状をなす樹脂シェル領域Ｓを配しているとともに、この樹脂シェル領域Ｓの上下にそれぞれ樹脂メッシュ領域Ｍを配しているので、上述したように着座者の荷重を前記樹脂シェル領域Ｓで受けることとなり、着座者にランバーサポート７による保持感を与えることができる。
【００３５】
なお、本発明は以上に述べた実施形態に限られない。
【００３６】
例えば、上述した実施形態では、上下案内部材は背板の樹脂メッシュ領域に設けた孔を利用して取り付けるようにしているが、メッシュ孔を有しない背板に、上下案内部材を取り付けるための孔を設け、この孔を利用して上下案内部材を取り付けるようにしてもよい。また、木製等板状の背板の後方から木ねじ等を利用して上下案内部材を背板に接続してもよい。この場合、迫出部分を含みその上下にわたって上下案内部材を装着すれば本発明の最も主要な効果は得ることができるので、必ずしも上下位置は変更可能でなくともよい。ここで、上下案内部材の上下位置が変更可能でない場合、上下案内部材が可撓性を備えるものである必要はない。
【００３７】
加えて、上述した実施形態では、背板が、水平なバンド状をなすシェル領域と、このシェル領域の上下に配したメッシュ領域とを有する構成を採用しているが、シェル領域及びメッシュ領域の形状はこのようなものに限らず、例えばシェル領域が垂直なものや、傾斜を有するものを採用してもよく、また、複数の円形のメッシュ領域を配置するとともに、残りの部分をシェル領域とする構成を採用してもよい。
【００３８】
その他、本発明の趣旨を損ねない範囲で種々に変更してよい。
【図面の簡単な説明】
【００３９】
【図１】本発明の一実施形態に係る椅子を示す斜視図。
【図２】同実施形態に係る椅子を示す側面図。
【図３】同実施形態に係る椅子の表装材を取り外した状態を示す斜視図。
【図４】同実施形態に係る椅子のランバーサポートの取付態様を示す分解斜視図。
【図５】同実施形態に係る椅子のランバーサポートの取付態様を示す要部横断面図。
【図６】同実施形態に係る椅子のランバーサポートの取付姿勢を概略的に示す図。
【図７】同実施形態に係る椅子のランバーサポートの取付姿勢を概略的に示す図。
【図８】同実施形態に係る椅子のランバーサポートの取付姿勢を概略的に示す図。
【符号の説明】
【００４０】
１００…椅子
６１…背板
６１ｘ…迫出部分
７…ランバーサポート
７１…ランバーサポート本体
７２…上下案内部材
【図１】
2010063820.tif 000003
【図２】
2010063820.tif 000004
【図３】
2010063820.tif 000005
【図４】
2010063820.tif 000006
【図５】
2010063820.tif 000007
【図６】
2010063820.tif 000008
【図７】
2010063820.tif 000009
【図８】
2010063820.tif 000010